(57)【要約】      （修正有）【課題】生理的報酬獲得行動に対する条件反射制御法を家庭や一般施設等の一般社会環境で手軽に行うことができる玩具及びゲーム用具を提供する。【解決手段】積木は、生理的報酬獲得行動惹起画像（煙草の画像）が外面の１つに配された積木片２１や、生理的報酬獲得行動再現画像が外面の１つに配された積木片２２を含んで構成されている。使用者が、生理的報酬獲得行動が行えない環境下において、積木を使用して積木遊びをすることにより、意図せずして積木片に配された生理的報酬獲得行動惹起画像や生理的報酬獲得行動再現画像を目にすることになり、結果として、当該生理的報酬獲得行動を司る無意識的な反射の連鎖が作動されつつ生理的報酬は得られない状況に置かれる。【選択図】図９
2014140502.tif 000002
【特許請求の範囲】
【請求項１】
少なくとも１つの構成物品の外面の一部又は全部に生理的報酬獲得行動抑制画像が配されてなることを特徴とする、玩具。
【請求項２】
前記生理的報酬獲得行動抑制画像は、少なくとも１つの生理的報酬獲得行動惹起画像を含む、請求項１に記載の玩具。
【請求項３】
前記生理的報酬獲得行動抑制画像は、少なくとも１つの生理的報酬獲得行動再現画像を含む、請求項１又は２に記載の玩具。
【請求項４】
積木、ブロック、メカニカルパズル、めんこ、ビー玉、おはじき又はお手玉である、請求項１乃至３の何れか１項に記載の玩具。
【請求項５】
ハノイの塔、ポリキューブ、ホフマンパズル、ルービックキューブ（登録商標）、ジグソーパズル、敷き詰めパズル、シルエットパズル又はスライディングブロックパズルである、請求項４に記載の玩具。
【請求項６】
前記生理的報酬獲得行動は、依存性物質摂取、賭博、摂食、性行動又はＰＴＳＤの症状である過去の危険回避行動に基づく反応である、請求項１乃至５の何れか１項に記載の玩具。
【請求項７】
前記生理的報酬獲得行動は、喫煙、飲酒又はアンフェタミン、メタンフェタミン、ＭＤＭＡ、コカイン、アヘン類、大麻、ＰＣＰ、メサドン、抗うつ薬、抗不安薬、抗躁薬、中枢神経刺激薬、睡眠導入剤、鎮静催眠薬、抗ヒスタミン薬、総合感冒薬、鎮咳剤、麻酔薬、鎮痛剤、幻覚剤、禁煙補助剤、有機溶剤若しくは有機燃料の摂取又は服用である、請求項６に記載の玩具。
【請求項８】
少なくとも１つの構成物品の外面の一部又は全部に生理的報酬獲得行動抑制画像が配されてなることを特徴とする、ゲーム用具。
【請求項９】
前記生理的報酬獲得行動抑制画像は、少なくとも１つの生理的報酬獲得行動惹起画像を含む、請求項８に記載のゲーム用具。
【請求項１０】
前記生理的報酬獲得行動抑制画像は、少なくとも１つの生理的報酬獲得行動再現画像を含む、請求項８又は９に記載のゲーム用具。
【請求項１１】
ボードゲーム、カードゲーム、タイルゲーム又は立体ゲーム用である、請求項８乃至１０の何れか１項に記載のゲーム用具。
【請求項１２】
将棋、囲碁、チェス、オセロ（登録商標）、双六、モノポリー（登録商標）、人生ゲーム（登録商標）、トランプ、かるた、ＵＮＯ（登録商標）、花札、麻雀、ドミノ、ポンジャン又はジェンガ（登録商標）用である、請求項１１に記載のゲーム用具。
【請求項１３】
前記生理的報酬獲得行動は、依存性物質摂取、賭博、摂食、性行動又はＰＴＳＤの症状である過去の危険回避行動に基づく反応である、請求項８乃至１２の何れか１項に記載のゲーム用具。
【請求項１４】
前記生理的報酬獲得行動は、喫煙、飲酒又はアンフェタミン、メタンフェタミン、ＭＤＭＡ、コカイン、アヘン類、大麻、ＰＣＰ、メサドン、抗うつ薬、抗不安薬、抗躁薬、中枢神経刺激薬、睡眠導入剤、鎮静催眠薬、抗ヒスタミン薬、総合感冒薬、鎮咳剤、麻酔薬、鎮痛剤、幻覚剤、禁煙補助剤、有機溶剤若しくは有機燃料の摂取又は服用である、請求項１３に記載のゲーム用具。
【発明の詳細な説明】
【技術分野】
【０００１】
本発明は玩具及びゲーム用具に関する。詳しくは、遊びやゲームに興じながら、生理的報酬獲得行動に対する条件反射制御法を隔離環境又は家庭や一般施設等の一般社会環境で手軽に行うことができる玩具及びゲーム用具に関するものである。
【背景技術】
【０００２】
動物の神経活動（唾液線や内臓等の動きを司る自律神経の働きだけでなく、知覚、気分、動作、思考等に関係する全ての神経活動）は、イワン・ペトローヴィチ・パヴロフ（Ｉｖａｎ  Ｐｅｔｒｏｖｉｃｈ  Ｐａｖｌｏｖ）の条件反射学説に基づけば、次のように理解される。
【０００３】
動物の神経活動は、生体内外の環境からの刺激に対する反射を作るものであり、行動は反射の連鎖的作動で司られる。また、ヒト以外の動物は第一信号系を持ち、これは刺激を受ければ過去に条件付けられた反応が無意識的に生じ、この反射が連鎖的に生じて行動を作る系であり、先天的反射連鎖と後天的反射連鎖で構成される。一方、ヒトは第一信号系だけでなく第二信号系も持ち、第二信号系は思考に当たるものである。第二信号系は刺激を受ければ反応が生じ、この反射は意識的であり、方向は多様であり、複雑な結合があることから、この系の神経活動は第二信号系反射網と呼ぶことが適切である。この系の刺激は言葉であり、この系の機能は評価、予測、目標設定、計画、決断等であり、直接的には動作を制御する。
【０００４】
つまり、ヒトの大脳が何らかの刺激を受けると、先天的反射連鎖、後天的反射連鎖、第二信号系反射網が働き、これらが相当な程度に独立して作動し、また、影響し合うところもあり、行動が選択され、実行される。
【０００５】
従って、嗜癖行動や過食、心的外傷後ストレス障害（ＰＴＳＤ）で生じる恐怖や幻視の再現を伴うパニック、性的逸脱行動等のメカニズムは、次のように理解される。
【０００６】
即ち、理性的な思考に反して生じる物質反復摂取や病的賭博などの嗜癖や過食は、依存性物質（例えば、覚せい剤、ニコチン、アルコール等）の薬理作用、ギャンブルにおける利益獲得により引き起こされる神経活動、栄養の充足等により生じる生理的報酬の獲得を、過度にヒトが反復したために第一信号系内にその行動を司る反射連鎖が成立し、関連する刺激を受けると反射連鎖が作動して生じる。また、環境には生理的報酬と関連づけられた事物が多々あるので、第一信号系内に反射の連鎖は複数存在し、従って複数の起点があり、生理的報酬の獲得に向かうに連れて、枝が幹に収束するように複数の連鎖が合わさり、生理的報酬の獲得直前では、例えば覚せい剤摂取動作を司る一本の反射の連鎖に収束する。従って、生理的報酬に関連する刺激を大脳が受けた場合に、第一信号系内で反射連鎖が作動し始め、この作動を、第二信号系反射網（思考）が周囲の状況から不適切と判断すれば中止しようと働く。この時、第一信号系内の反射連鎖の作動性が第二信号系反射網（思考）より優勢であれば、嗜癖行動等の病態を示すことになる。つまり、第二信号系反射網（思考）は生理的報酬の獲得行動を止めようと働くが、第一信号系内の反射連鎖の作動性が優勢であるために止められないのである。生理的報酬獲得行動を中止しようと第二信号系反射網（思考）が作動すれば、この２つの系の間に摩擦が生じ、ヒトはこれを焦燥、苦悩、恐慌として感じ、これを覚せい剤への欲求或いは渇望であると解釈する。焦燥、苦悩、恐慌は、当初急激に生じ、その後も、生理的報酬獲得行動を中止するために第二信号系反射網（思考）が作動しつづければ、焦燥、苦悩、恐慌は、浮動的に生じる。第二信号系反射網（思考）が抵抗することに疲弊したときに、第一信号系内の反射連鎖の作動性が優勢になり、第一信号系が行動を支配することになる。
【０００７】
また、ＰＴＳＤに生じる恐怖や幻視の再現を伴うパニック等は、それらの症状をもつヒトは、例えば殺されそうになった体験を生き延びたのであり、この場合、防御をかなりの程度に完結したので生理的報酬が生じ、また、２度目からの同様の体験においても生き延びることが生物種の保存のためには必要であり、従って、防御に成功した際の生理的報酬は強力であり、１度の防御体験における生理的報酬により、その体験前及び体験中の神経活動は第一信号系内に反射連鎖として定着し、その体験前及び体験中に受けた刺激或いは類似した刺激をそのヒトが受ければ、第一信号系内の反射連鎖が作動してその刺激が作用する反射から連鎖的作動が生じるので、その体験時の視覚や恐怖感、自律神経の変調が生じることになる。
【０００８】
さらに、性器の露出や痴漢、強姦等の性的逸脱行為は、本来は生理的報酬が終末にある性行為の部分的再現或いは完全再現であり、これらは、性行為の対象の意思を無視し、また処罰を受ける危険性を犯して行う非理性的な行為であることから、それらを行ってはならないという理性的な思考を一時もっても、現実社会の中の種々の事物を刺激として、終末には性行為等による生理的報酬を獲得する先天的反射連鎖が作動し、生じるものである。また、性的逸脱行為の対象は現実社会の中において体験に基づき異性であると認識したヒト或いは年少者であると認識したヒト等であり、この認識には体験によって第一信号系内に成立した後天的反射連鎖が関与する。これらのことから、性的逸脱行動の促進には先天的反射連鎖と後天的反射連鎖の両方の無意識の反射が関与し、これらの無意識の反射の作動性が第二信号系反射網（思考）より優勢になったときに、性的逸脱行動が生じる。
【０００９】
そこで、先に本発明者は、かかる嗜癖行動や過食、心的外傷後ストレス障害（ＰＴＳＤ）で生じる恐怖や幻視の再現を伴うパニック、性的逸脱行動等のメカニズムに基づいて、上記の生理的報酬獲得行動を司る無意識的な反射の過作動の治療法として条件反射制御法（過去には「条件反射抑制療法」と呼んだ）を提案した（例えば、非特許文献１参照）。かかる条件反射制御法は、生理的報酬獲得行動を司る無意識的な反射の連鎖の作動性自体が抑制された状態にすること（第１のメニュー）、及び仮にその作動が始まってもそれを抑制するものをもつ状態にすること（第２のメニュー）の２つを基本とする治療プログラムである。
【００１０】
即ち、第１のメニューは、無意識的な反射の作動性自体の抑制に関するものであり、生理的報酬を獲得する定型的な行動、例えば覚せい剤を摂取するための連続した動作を最終のものまでを真似してその動作を司る反射の連鎖を作動させ、しかし、生理的報酬は与えないことを反復するものである。生理的報酬を獲得するための定型的な行動は、生物種を存続させるものとして作動していたが、その行動を行っても後に生理的報酬がないことが反復されると、その行動は生物種を存続させるものにならないので、その定型的な行動を保持する脳内の働きはなくなり、むしろ必要のない行動であるので、その定型的な行動を司る無意識的な反射の連鎖の作動性は抑制をうける。これにより、生理的報酬を獲得する定型的な行動を司る反射の作動性が抑制されるだけでなく、連鎖上の反射弓間には結合があるために、反射の連鎖は起点からすべて種々の程度で抑制を受ける。したがって、樹木の形状のように想定される条件反射の複数の連鎖の全てにおいて、いずれの起点或いは途中の反射弓が関連刺激を受けても、反射連鎖は作動しがたくなり、生理的報酬への欲求は生じ難くなる。具体的には、例えば覚醒剤使用障害の場合、覚せい剤を摂取する連続した動作として、家族との口論を再現し、「頭にきたなあ」のように焦燥を表現する言葉を発し、売人との携帯電話での交渉を再現し、受け渡し場所への移動や状況を言葉で表し、覚醒剤の受け渡しの際に交わす言葉を再現し、小さいビニール袋に入れた疑似覚せい剤としての粉砕したカルキ抜きと針のついていない注射筒を渡され、近くのコンビニエンスストアで水を購入しトイレに入ることを想像して、疑似覚醒剤を用いて水溶液を作り、実際には注射をしないが、条件反射制御法用に作製した特殊キットに持ち替えて静脈注射の真似をして、疑似血液の逆流を注射筒内に視認することなどを患者に行わせる。短時間で簡単に疑似摂取を再現する場合は、疑似覚せい剤と器具を使用して、摂取の準備と注射の真似をさせる。また、強力に後天的反射連鎖の作動性を抑制する作業は、想像摂取と呼ぶ次の方法である。まずは、治療者の指示に従って、患者は閉眼し、例えば、覚せい剤を使用した日の起床時から覚せい剤の摂取までの行動及び周囲の様子を一つ一つ想起して言葉に出す。この作業中に、映像が明確に浮かんでくる者は少なくない。つまり、脳の神経細胞が動作は伴わないがかなり現実に近い形で活動するのである。しかし、神経活動の終末に生理的報酬はない。後にはこの想像摂取を、単独で、言葉に出さず、反復する。
【００１１】
第２のメニューは、負の刺激の設定と利用に関するものであり、任意の刺激（拳を握り開いて額を触るなどの意識的に行う特殊で簡単な動作でよい）を準備し、絶対に生理的報酬獲得行動ができない状況下で、この刺激に自らを曝露しながら、例えば「私は今、覚せい剤は、やれない」のように思い、事実を確認するとともに、多様な状況でこれを反復するものである。入院中なら、ベッド上、或いは、テラス、ホール、トイレ、浴場、洗面所等で、しっかり開眼して目前の物体或いは広がる光景を視認して行う。この作業により、任意の刺激は、無意識的な反射の系内に生理的報酬獲得行動をしない時間を開始する刺激として成立する。仮に、社会内に帰った後に、生理的報酬獲得行動を司る無意識的な反射の連鎖の作動が始まり、欲求が生じたとする。この時、直接、第二信号系反射網（思考）が無意識的な反射に勝つことは困難である。しかし、間接的には、第二信号系反射網（思考）がまずは負の刺激の動作を行うと、これが直接的に無意識的な反射の系内において生理的報酬獲得行動をしない時間を開始する刺激として作動して効果を現し、生理的報酬獲得行動を司る無意識的な反射の作動は中断される。これにより、生理的報酬獲得行動をしないという第二信号系反射網（思考）と無意識的な反射の作動に摩擦がなくなり、生理的報酬への欲求は数秒で消滅するようになる。
【００１２】
かかる条件反射制御法による治療プログラムは、嗜癖行動や過食、性的逸脱行動の治療においては強烈な渇望を生じさせることがあり、容易に生理的報酬が入手できる環境では実際の行為の再現に結びつく可能性が高いため、少なくとも最初は閉鎖病棟又は刑務所等、社会から隔離された環境で行われることが好ましく、覚醒剤使用障害に罹患した患者の場合、通常１０〜１２週で、上記第１及び第２のメニューを単独でまたは組み合わせて１０００回を越えて行われる。また、ＰＴＳＤに生じる恐怖や幻視の再現を伴うパニック等の治療においては、刺激により強い不安を生じさせることがあるので、刺激後は、患者が慣れ親しんだ安全な環境で過ごすことが良い。
【先行技術文献】
【特許文献】
【００１３】
【特許文献１】特開２００９−９５４２４号公報
【非特許文献】
【００１４】
【非特許文献１】平井愼二、「覚せい剤反復接取に対する条件反射抑制療法」、精神科、２００８年、１３（１）、ｐ.１−１３
【発明の概要】
【発明が解決しようとする課題】
【００１５】
条件反射制御法では、上記治療プログラムにより、生理的報酬獲得行動を司る無意識的な反射連鎖の作動性が抑制され、嗜癖行動や過食、ＰＴＳＤに生じるパニック、性的逸脱行動等は一時的に治癒又は改善するが、条件反射は過去の設定に戻る性質をもつため、この抑制された状態を放置すると、生理的報酬獲得行動を司る無意識的な反射連鎖の作動性が回復し、欲求が再燃する可能性がある。従って、条件反射制御法では、患者の社会復帰後の上記治療プログラムによる継続療法が極めて重要であり、かかる作動性の回復を避け、抑制された状態を維持するために、上記第１及び第２のメニューを毎日、少なくとも数回ずつ行うことが肝要である。
【００１６】
本発明は、上記課題に鑑みてなされたものであり、その目的は、遊びやゲームに興じながら、生理的報酬獲得行動に対する条件反射制御法を隔離環境又は家庭や一般施設等の一般社会環境で手軽に行うことができる玩具及びゲーム用具を提供することにある。
【００１７】
本発明の他の目的は、重度の嗜癖、過食、性的逸脱、ＰＴＳＤ等に罹患した者に対する隔離環境下での条件反射制御法及びその後の継続療法を簡便かつ確実に行うことができる玩具及びゲーム用具を提供することにある。
【００１８】
本発明の更に他の目的は、軽度の嗜癖や過食に罹患した者に対する隔離環境によらない簡易療法を簡便かつ確実に行うことができる玩具及びゲーム用具を提供することにある。
【課題を解決するための手段】
【００１９】
本発明の上記目的は、下記の手段によって達成される。
【００２０】
（１）即ち、本発明は、少なくとも１つの構成物品の外面の一部又は全部に生理的報酬獲得行動抑制画像が配されてなることを特徴とする、玩具である。
【００２１】
（２）本発明はまた、前記生理的報酬獲得行動抑制画像は、少なくとも１つの生理的報酬獲得行動惹起画像を含む、（１）に記載の玩具である。
【００２２】
（３）本発明はまた、前記生理的報酬獲得行動抑制画像は、少なくとも１つの生理的報酬獲得行動再現画像を含む、（１）又は（２）に記載の玩具である。
【００２３】
（４）本発明はまた、積木、ブロック、メカニカルパズル、めんこ、ビー玉、おはじき又はお手玉である、（１）乃至（３）の何れか１つに記載の玩具である。
【００２４】
（５）本発明はまた、ハノイの塔、ポリキューブ、ホフマンパズル、ルービックキューブ（登録商標）、ジグソーパズル、敷き詰めパズル、シルエットパズル又はスライディングブロックパズルである、（４）に記載の玩具である。
【００２５】
（６）本発明はまた、前記生理的報酬獲得行動は、依存性物質摂取、賭博、摂食、性行動又はＰＴＳＤの症状である過去の危険回避行動に基づく反応である、（１）乃至（５）の何れか１つに記載の玩具である。
【００２６】
（７）本発明はまた、前記生理的報酬獲得行動は、喫煙、飲酒又はアンフェタミン、メタンフェタミン、ＭＤＭＡ、コカイン、アヘン類、大麻、ＰＣＰ、メサドン、抗うつ薬、抗不安薬、抗躁薬、中枢神経刺激薬、睡眠導入剤、鎮静催眠薬、抗ヒスタミン薬、総合感冒薬、鎮咳剤、麻酔薬、鎮痛剤、幻覚剤、禁煙補助剤、有機溶剤若しくは有機燃料の摂取又は服用である、（６）に記載の玩具である。
【００２７】
（８）更に、本発明は、少なくとも１つの構成物品の外面の一部又は全部に生理的報酬獲得行動抑制画像が配されてなることを特徴とする、ゲーム用具である。
【００２８】
（９）本発明はまた、前記生理的報酬獲得行動抑制画像は、少なくとも１つの生理的報酬獲得行動惹起画像を含む、（８）に記載のゲーム用具である。
【００２９】
（１０）本発明はまた、前記生理的報酬獲得行動抑制画像は、少なくとも１つの生理的報酬獲得行動再現画像を含む、（８）又は（９）に記載のゲーム用具である。
【００３０】
（１１）本発明はまた、ボードゲーム、カードゲーム、タイルゲーム又は立体ゲーム用である、（８）乃至（１０）の何れか１つに記載のゲーム用具である。
【００３１】
（１２）本発明はまた、将棋、囲碁、チェス、オセロ（登録商標）、双六、モノポリー（登録商標）、人生ゲーム（登録商標）、トランプ、かるた、ＵＮＯ（登録商標）、花札、麻雀、ドミノ、ポンジャン又はジェンガ（登録商標）用である、（１１）に記載のゲーム用具である。
【００３２】
（１３）本発明はまた、前記生理的報酬獲得行動は、依存性物質摂取、賭博、摂食、性行動又はＰＴＳＤの症状である過去の危険回避行動に基づく反応である、（８）乃至（１２）の何れか１つに記載のゲーム用具である。
【００３３】
（１４）本発明はまた、前記生理的報酬獲得行動は、喫煙、飲酒又はアンフェタミン、メタンフェタミン、ＭＤＭＡ、コカイン、アヘン類、大麻、ＰＣＰ、メサドン、抗うつ薬、抗不安薬、抗躁薬、中枢神経刺激薬、睡眠導入剤、鎮静催眠薬、抗ヒスタミン薬、総合感冒薬、鎮咳剤、麻酔薬、鎮痛剤、幻覚剤、禁煙補助剤、有機溶剤若しくは有機燃料の摂取又は服用である、（１３）に記載のゲーム用具である。
【発明の効果】
【００３４】
本発明の玩具及びゲーム用具によれば、少なくとも１つの構成物品の外面の一部又は全部に生理的報酬獲得行動惹起画像や生理的報酬獲得行動再現画像を含む生理的報酬獲得行動抑制画像が配されてなるので、ユーザ（嗜癖者等）は、本発明に係る玩具やゲーム用具を使用して遊びやゲームをすることにより、意図せずして生理的報酬獲得行動惹起画像副画像や生理的報酬獲得行動再現画像を目にすることになり、結果として、当該生理的報酬獲得行動を司る無意識的な反射の連鎖が作動しつつ生理的報酬は得られない状況に置かれることになる。
【００３５】
従って、ユーザは、遊びやゲームに興じながら、同時に、生理的報酬獲得行動に対する条件反射制御法のうち生理的報酬獲得行動を司る無意識的な反射の連鎖の作動性を抑制する治療プログラム（第１のメニュー）を隔離環境又は家庭や一般施設等の一般社会環境で手軽に且つ確実に行うことが可能となるので、重度の嗜癖、過食、性的逸脱、ＰＴＳＤ等に罹患した者に対する隔離環境下での条件反射制御法及びその後の継続療法や、軽度の嗜癖や過食に罹患した者に対する隔離環境によらない簡易療法を簡便且つ効果的に行うことができる。
【図面の簡単な説明】
【００３６】
【図１】本発明における生理的報酬獲得行動が喫煙である場合の生理的報酬獲得行動抑制画像に含まれる生理的報酬獲得行動惹起画像の一例を示す図である。
【図２】本発明における生理的報酬獲得行動が喫煙である場合の生理的報酬獲得行動抑制画像に含まれる生理的報酬獲得行動惹起画像の他の例を示す図である。
【図３】本発明における生理的報酬獲得行動が喫煙である場合の生理的報酬獲得行動抑制画像に含まれる生理的報酬獲得行動惹起画像の他の例を示す図である。
【図４】本発明における生理的報酬獲得行動が喫煙である場合の生理的報酬獲得行動抑制画像に含まれる生理的報酬獲得行動再現画像の一例を示す図である。
【図５】本発明における生理的報酬獲得行動が喫煙である場合の生理的報酬獲得行動抑制画像に含まれる生理的報酬獲得行動再現画像の他の例を示す図である。
【図６】本発明における生理的報酬獲得行動が喫煙である場合の生理的報酬獲得行動抑制画像に含まれる生理的報酬獲得行動再現画像の他の例を示す図である。
【図７】本発明における生理的報酬獲得行動が喫煙である場合の生理的報酬獲得行動抑制画像に含まれる生理的報酬獲得行動再現画像の他の例を示す図である。
【図８】本発明における生理的報酬獲得行動が喫煙である場合の生理的報酬獲得行動抑制画像に含まれる生理的報酬獲得行動再現画像の他の例を示す図である。
【図９】本発明の第１の実施形態に係る積木２０を構成する積木片２１及び２２を示す概略斜視図である。
【図１０】本発明の第２の実施形態に係るトランプ３０を構成するカード３１及び３２を示す概略平面図である。
【発明を実施するための形態】
【００３７】
次に、本発明の実施の形態について、図面を参照して詳細に説明する。
【００３８】
本発明は、少なくとも１つの構成物品の外面の一部又は全部に生理的報酬獲得行動抑制画像が配されてなることを特徴とする玩具及びゲーム用具である。
【００３９】
本発明において、生理的報酬獲得行動とは、動物が生理的報酬を獲得する一連の行動をいう。即ち、生理的報酬とは、本来は生物種の進化を支える基本的な行動である防御、摂食、生殖を完結した際に脳内に生じる作用であり、その効果は、生理的報酬が生じると、その前に展開された刺激と反応からなる反射が定着し、後に同じ刺激を受けた場合、同じ反応、つまり同じ反射を再現しやすくするものである。このために、生理的報酬が終末にある行動を生体が体験することにより無意識の反射の系内にその行動を司る反射の連鎖が成長する方向に進み、後に、生理的報酬に関連した刺激を受けると無意識な反射の連鎖が作動して、生理的報酬を獲得する行動が生じることとなる。かかる生理的報酬獲得行動の具体例（括弧内はその生理的報酬）としては、喫煙（ニコチンの薬理作用）、飲酒（アルコールの薬理作用）、その他の依存性物質摂取（アンフェタミン、メタンフェタミン、ＭＤＭＡ、コカイン、アヘン類、大麻、ＰＣＰ、メサドン、抗うつ薬、抗不安薬、抗躁薬、中枢神経刺激薬、睡眠導入剤、鎮静催眠薬、抗ヒスタミン薬、総合感冒薬、鎮咳剤、麻酔薬、鎮痛剤、幻覚剤、禁煙補助剤、有機溶剤、有機燃料等の依存性物質の薬理作用）、賭博（太古の狩猟或いは採取による食物獲得完遂と類似の神経活動による報酬系への作用）、摂食（栄養の充足による報酬系への作用）、性行動（性行動の完了による報酬系への作用）、ＰＴＳＤの症状である過去の危険回避行動に基づく反応（防御成功による報酬系への作用）等が挙げられる。
【００４０】
また、本発明において、生理的報酬獲得行動抑制画像とは、生理的報酬獲得行動を抑制する画像をいい、抑制対象の生理的報酬獲得行動に係る少なくとも１つの生理的報酬獲得行動惹起画像又は生理的報酬獲得行動再現画像を含むものである。
【００４１】
ここで、生理的報酬獲得行動惹起画像とは、生理的報酬獲得行動の端緒となる場面、行為又は物であって無意識的な反射の連鎖を作動させてユーザ（嗜癖者等）に生理的報酬獲得行動を惹起させるものの画像である。具体例を示せば、例えば生理的報酬獲得行動が喫煙である場合は、公園のベンチから園内を眺望する場面の画像（図１の画像１１）や、海辺のベンチから水面や水面に浮かぶ船等を眺める場面の画像、居酒屋で宴会の席について飲酒している場面の画像（何れも図示せず）等の一般に喫煙を行うことのある日常生活の一場面の画像や、煙草屋の店舗の画像、煙草の陳列棚の画像、煙草の自動販売機の画像（何れも図示せず）等の喫煙の対象物たる煙草の入手に関わる場所の画像、煙草の箱の画像（図示せず）や煙草の画像（図２の画像１２）、ライターの画像（図３の画像１３）、マッチの画像、灰皿の画像（何れも図示せず）等の一般に喫煙に用いる物や道具等の画像が挙げられる。
【００４２】
また、生理的報酬獲得行動再現画像とは、生理的報酬を獲得するまでに嗜癖者等が通常行う一連の行為又は遭遇する一連の場面を再現した画像である。具体例を示せば、例えば生理的報酬獲得行動が喫煙である場合は、煙草屋や自動販売機で煙草を購入する行為を再現した画像（図示せず）、煙草の箱を開封して煙草を取り出す行為を再現した画像（図４の画像１４）、口に咥えた煙草にライターで火をつける行為を再現した画像（図５の画像１５）、指の間で煙草を挟んで煙草を燻らす行為を再現した画像（図６の画像１６）、灰皿上に置かれた煙草を眺める行為を再現した画像（図７の画像１７）、灰皿上で煙草の火を揉み消す行為を再現した画像（図８の画像１８）等が挙げられる。
【００４３】
本発明において利用される生理的報酬獲得行動抑制画像は、抑制対象の生理的報酬獲得行動に係る少なくとも１つの生理的報酬獲得行動惹起画像又は生理的報酬獲得行動再現画像を含むものであれば良いが、好ましくは、抑制対象の生理的報酬獲得行動に係る少なくとも１つの生理的報酬獲得行動惹起画像と、当該抑制対象の生理的報酬獲得行動に係る一連の行為又は場面を再現した複数の生理的報酬獲得行動再現画像とを含むものが良い。
【００４４】
次に、本発明の玩具について説明する。なお、以下の全ての実施形態において、抑制対象の生理的報酬獲得行動は何れも喫煙の例を用いて説明する。
【００４５】
図９は、本発明の第１の実施形態に係る積木２０の構成物品である積木片２１及び２２を示す概略斜視図である。積木２０は、図９（ａ）に示すような、抑制対象の生理的報酬獲得行動（喫煙）に係る生理的報酬獲得行動惹起画像である画像１２（煙草の画像）が外面の１つに配された積木片２１や、図９（ｂ）に示すような、当該生理的報酬獲得行動に係る生理的報酬獲得行動再現画像である画像１６（指の間で煙草を挟んで煙草を燻らす行為を再現した画像）が外面の１つに配された積木片２２等を含んで構成されている。
【００４６】
本実施形態によれば、使用者（嗜癖者等）が、生理的報酬獲得行動（喫煙）が行えない環境下において、積木２０を使用して積木遊びをすることにより、意図せずして積木片に配された生理的報酬獲得行動惹起画像や生理的報酬獲得行動再現画像を目にすることになり、結果として、当該生理的報酬獲得行動（喫煙）を司る無意識的な反射の連鎖が作動されつつ生理的報酬（ニコチンの薬理作用）は得られない状況に置かれることになる。従って、ユーザは、積木遊びに興じながら、同時に、生理的報酬獲得行動に対する条件反射制御法のうち生理的報酬獲得行動を司る無意識的な反射の連鎖の作動性抑制治療プログラム（第１のメニュー）を、隔離環境又は家庭や一般施設等の一般社会環境で手軽にかつ効果的に行うことができるものである。
【００４７】
本発明の適用可能な玩具としては、構成物品の外面の少なくとも一部に生理的報酬獲得行動抑制画像を配することができるものであれば特に限定されるものではなく、上記実施形態に示した積木以外にも、ブロック、メカニカルパズル、めんこ、ビー玉、おはじき、お手玉等が挙げられ、また、前記メカニカルパズルとしては、ハノイの塔、ポリキューブ、ホフマンパズル、ルービックキューブ（登録商標）等の立体パズル、ジグソーパズル、敷き詰めパズル、シルエットパズル、スライディングブロックパズル等の平面パズル等が挙げられる。
【００４８】
次に、本発明のゲーム用具について説明する。図１０は、本発明の第２の実施形態に係るトランプ３０の構成物品であるカード３１及び３２を示す概略斜視図である。トランプ３０は、図１０（ａ）に示すような、抑制対象の生理的報酬獲得行動（喫煙）に係る生理的報酬獲得行動惹起画像である画像１３（ライターの画像）が外面の１つに配されたカード３１や、図１０（ｂ）に示すような、当該生理的報酬獲得行動に係る生理的報酬獲得行動再現画像である画像１５（ライターで口に咥えた煙草に火をつける行為を再現した画像）が外面の１つに配されたカード３２を含んで構成されている。
【００４９】
本実施形態によれば、使用者（嗜癖者等）が、生理的報酬獲得行動（喫煙）が行えない環境下において、トランプ３０を使用してトランプゲームをすることにより、意図せずしてカードに配された生理的報酬獲得行動惹起画像や生理的報酬獲得行動再現画像を目にすることになり、結果として、当該生理的報酬獲得行動（喫煙）を司る無意識的な反射の連鎖が作動されつつ生理的報酬（ニコチンの薬理作用）は得られない状況に置かれることになる。従って、ユーザは、トランプゲームに興じながら、同時に、生理的報酬獲得行動に対する条件反射制御法のうち生理的報酬獲得行動を司る無意識的な反射の連鎖の作動性抑制治療プログラム（第１のメニュー）を手軽にかつ効果的に行うことができる。
【００５０】
本発明の適用可能なゲーム用具としては、構成物品の外面の少なくとも一部に生理的報酬獲得行動抑制画像を配することができるものであれば特に限定されるものではなく、上記実施形態に示したトランプ以外にも、かるた、ＵＮＯ（登録商標）、花札等のカードゲーム、将棋、囲碁、チェス、オセロ（登録商標）、双六、モノポリー（登録商標）、人生ゲーム（登録商標）等のボードゲーム、麻雀、ドミノ、ポンジャン等のタイルゲーム、ジェンガ等の立体ゲーム等が挙げられる。
【００５１】
本発明の玩具及びゲーム用具は、上記した実施形態に限定されるものではなく、本発明の要旨を逸脱しない範囲内において種々変更を加え得ることは勿論である。
【００５２】
例えば、上記実施形態に係る玩具及びゲーム用具では、生理的報酬獲得行動抑制画像が構成物品（積木片やカード等）の外面の一部（１つの面）のみに配されていたが、生理的報酬獲得行動抑制画像は構成物品の外面の全て（全ての面）に配されていても良い。この場合、生理的報酬獲得行動抑制画像は同一のものであっても良いし、異なるものであっても良い。また、構成物品（積木片やカード等）の外面の一部（１つの面）に複数の生理的報酬獲得行動抑制画像が配されていても構わない。
【００５３】
また、生理的報酬獲得行動抑制画像は、上記実施形態における玩具及びゲーム用具の全ての構成物品（積木片やカード等）に配されていても良いし、一部の構成物品のみに配されていても良い。
【００５４】
さらに、上記実施形態に係る玩具及びゲーム用具では、１つの抑制対象の生理的報酬獲得行動に係る生理的報酬獲得行動抑制画像のみが配されていたが、複数の抑制対象の生理的報酬獲得行動に係る生理的報酬獲得行動抑制画像が配されていても構わない。
同じ画像を複数配する
【産業上の利用可能性】
【００５５】
上述したように、本発明の玩具及びゲーム用具は、生理的報酬獲得行動に対する条件反射制御法を隔離環境又は家庭や一般施設等の一般社会環境で手軽に行うことができるので、重度の嗜癖、過食、性的逸脱、ＰＴＳＤ等に罹患した者に対する隔離環境下での条件反射制御法及びその後の継続療法や、軽度の嗜癖や過食に罹患した者に対する隔離環境によらない簡易療法に利用した場合極めて有用である。
【符号の説明】
【００５６】
１１〜１４  生理的報酬獲得行動惹起画像
１５〜１８  生理的報酬獲得行動再現画像
２０  積木
２１、２２  積木片
３０  トランプ
３１、３２  カード
【図１】
2014140502.tif 000003
【図２】
2014140502.tif 000004
【図３】
2014140502.tif 000005
【図４】
2014140502.tif 000006
【図５】
2014140502.tif 000007
【図６】
2014140502.tif 000008
【図７】
2014140502.tif 000009
【図８】
2014140502.tif 000010
【図９】
2014140502.tif 000011
【図１０】
2014140502.tif 000012